(57)【特許請求の範囲】
【請求項１】
ユーザによって挿入されたユーザカードを受け入れるスロットを有するＡＴＭのユーザカード受入装置であって、
ユーザカードを受け入れるための凹部と、当該凹部に接続して挿入されたユーザカードの供給経路と、が設けられた円筒状のコア部材と、
前記コア部材の内部に配置され、前記ユーザカードをＡＴＭ内に供給する供給ローラと、
前記コア部材の周りに沿って回転可能に設けられ中空のシャッターと、
前記供給ローラと前記シャッターとを駆動するモータと、を備え、
前記シャッターは、前記コア部材の周りを回転することにより、ユーザカードを受け入れる際又は排出する際には前記コア部材の前記凹部を開き、受け入れたユーザカードをＡＴＭ内に供給する際には前記凹部を閉じると共にＡＴＭ内への供給経路口を開くように構成されたことを特徴とするＡＴＭのユーザカード受入装置。
【発明の詳細な説明】
【０００１】
【発明の属する技術分野】
本発明は、トランザクションを行うユーザカードの制御下で動作可能な種類のセルフサービス端末（self-service terminal ）に関するものである。
【０００２】
【発明が解決しようとする課題】
一般的には、このようなターミナルは、ユーザからのカードを受信するのに適合した入力手段、カード利用装置、カード供給装置、受領したカードを前記入力装置から利用装置に内方に供給するとともに利用後はカードが部分的に前記入力装置から突出する位置に供給するためにカード供給装置の制御をするのに適合した制御手段を有する処理装置を有している。
【０００３】
このようなセルフサービス端末の重要な用途は、自動窓口機（ＡＴＭ）が一般的に使用されている自動銀行（automatic banking ）の分野である。典型的には、ＡＴＭにおいては、ユーザは機械内にサービスカードを挿入し、次いで特定のデータ（ＰＩＮ番号、現金の量、トランザクションのタイプなど）を入力する。機械は次いで、トランザクションを処理し、必要ならばユーザの銀行口座を更新し、またユーザにより取り除くことができる位置にカードを部分的に突出させる。
【０００４】
公知のＡＴＭでは、カードが最初に機械のカード入口スロット内に挿入されたときに、センサは挿入された物体が正しいカードであることを感知する。例えば、カードの上に磁気ストライプがある場合、このような磁気ストライプがあることをセンサが感知し、これにより、スロットの背後にあるシャッター部材が持上がり、カードがさらに入り、供給経路に沿って供給ローラあるいは供給手段に係合する。係合手段は、例えば磁気読取り機／書き込み機装置のようなカード処理手段と共動する位置まで、カードを、機械内に、全部供給するように動作する。公知のこのようなＡＴＭの欠点は、不正使用者が磁気ストライプカードと同時に異物を挿入できることであり、これにより、シャッターが詰まって不正使用者がカード読取り機／書き込み機に直接アクセスできることである。
【０００５】
本発明の目的は、端末内のカード処理手段への不正なアクセスの可能を低減することができる、カードにより動作するセルフサービス端末を提供することにある。
【０００６】
【課題を解決するための手段】
このため、本発明は、ユーザカードを受け入れるための凹部と、当該凹部に接続して挿入されたユーザカードの供給経路と、が設けられた円筒状のコア部材と、前記コア部材の内部に配置され、前記ユーザカードをＡＴＭ内に供給する供給ローラと、前記コア部材の周りに沿って回転可能に設けられ中空のシャッターと、前記供給ローラと前記シャッターとを駆動するモータと、を備え、前記シャッターは、前記コア部材の周りを回転することにより、ユーザカードを受け入れる際又は排出する際には前記コア部材の前記凹部を開き、受け入れたユーザカードをＡＴＭ内に供給する際には前記凹部を閉じると共にＡＴＭ内への供給経路口を開くように構成されたことを特徴とするＡＴＭのユーザカード受入装置を提供するものである。
【０００８】
【発明の実施の形態】
以下に、本発明の２つの実施の形態を添付図面を参照して説明する。
【０００９】
図１を参照して、図１には、自動窓口機（ＡＴＭ）の斜視図が示されている。ＡＴＭ１０は、複数のキー１８を有するキーボード１６を備えた第１のハウジング部１４を含む、ユーザインターフェース１２を有している。ディスプレー２２、ユーザカードを受領するためのスロット２４、現金払出しスロット２６およびユーザに受領伝票あるいは他の印刷物を発行するためのプリンタ出力スロット２８などを備えた第２のハウジング部２０が設けられている。
【００１０】
図２を参照して、図２にはハウジング部２０内のカードエントリスロット２４の背後に位置するシャッター機構４０の正面図が示されている。また、図３を参照して、図３には、図２において矢印Ａの方向から見たシャッター機構４０の断面図が示されており、ハウジング部２０内のスロット２４が同様に示されている。シャッター機構４０は、その軸の回りで回転可能であり、また固定されたコア４４を囲繞する、中空の円筒状のシャッター４２を含んでいる。シャッター４２は、金属やプラスチック材料のような剛性のある材料で作られており、また、ユーザカードの通過ができるのに十分な幅を有し実質的に長方形状のスロット４６を備えている。さらに、シャッター４２は、挿入されたユーザカードを収容するのに十分な内径を有している。
【００１１】
シャッター４２には、モータ５２により回転可能な駆動ギア５０に噛合した、ギアリング４８が取り付けられている。これにより、モータ５２は、シャッター４２に対して矢印５４の方向に（図３）回転移動を与えるために制御される。
【００１２】
コア４４には、その内部に、軸６４、６６上に取り付けられたローラ６０、６２がそれぞれ位置している、細長い凹部５６、５８が設けられている。ローラ６０、６２は、後述するように、これらが起動された時には、端末１０のユーザによりカードスロット２４内に挿入されたユーザカード７０を駆動するためのものである。コア４４には、ユーザカード７０が挿入される、コア４４内に形成されたスロット７８を規定する、角度付きの上面７４および下面７６を有する凹部７２が設けられている。
【００１３】
動作の際には、ユーザは端末１０（図１）とトランザクションを行うことを希望しユーザカードをカードスロット２４内に挿入する。図２と図３に示したようにシャッター４２が開いた位置にある状態では、カードはシャッター４２内のスロット４６を経てコア４４内のスロット７８内に挿入される。カード７０は、その内縁８０がシャッター４２の内面に到達するまで、ユーザにより挿入される。上記したように、カード７０の長さは円筒状のシャッター４２の内径より小さいことから、カード７０はシャッター内に全体が位置するようになる。
【００１４】
挿入されたカード７０が図３に示した位置に到達した場合、コア４４の内方の境界に隣接して位置したマイクロスイッチ対（図示せず）が起動され、また、ローラ６０、６２の前面に設けられた磁気予備センサ（図示せず）が、カード７０上の磁気ストライプの存在を検出した場合、モータ５２はシャッター４２を図３の開いた位置から矢印５４の方向に、図４の閉じた位置まで回転するように機能する。マイクロスイッチの代わりに、光学センサも利用される。
【００１５】
よって、スロット４６は、図４に示したように、その元の位置とは直径的に対向して位置される。端末１０のユーザから見た場合、シャッター４２が閉じた位置にあるので、ユーザ７０はカードにアクセスできなくなる。あるいは不正使用者がカードと共に異物を挿入した場合には、このような異物はユーザによるアクセスできなくなる。
【００１６】
次いで、図３と図４に示したように、カード７０は、スロット４６を通り供給経路９０に沿って内方にローラ６０、６２により駆動される。供給経路９０に沿っての移動はさらに、例えば、別の駆動ローラ、あるいは駆動ベルトを含む、駆動手段９２の制御下で行われる。駆動手段９２はカード７０を、実行されるＡＴＭトランザクションにしたがって読取り機／書き込み機ユニット９４によってカード７０上にデータを読み書きしたり、カード上からデータを読み書きできる位置まで移動させる。
【００１７】
このような読取り／書き込み動作に次いで、カード７０は、シャッター４２が図４の位置のままで、逆方向に供給される。カード７０は、カード７０が円筒状のシャッター４２内に再度位置するまで、逆方向に供給される。外方に移動するカード７０の先縁が、コア４４の内側領域に位置する上記したマイクロスイッチ（図示せず）に整列した時、タイマ（図示せず）が起動し、またこのタイマがタイムアウトした場合、シャッター４２が矢印５４の方向に１８０°回転し、シャッターが再び開いた位置になり、スロット４６がカードエントリのスロット２４に向かうようになる。タイマのタイムアウトは、図３に示したように、カード７０が、中空の円筒状のシャッター４２の内部において、駆動手段９２および駆動ローラ６０、６２によって外方へ移動して位置決めされるのに十分なものに設定される。端末１０のユーザはこの状態において、カード７０を手動で取り出すことができる。
【００１８】
上記した実施の形態においては、シャッター４２は中空の円筒状のシェルとして形成されたものであったが、他の構成でも可能である。例えば、シャッターはスラットベルト（slatted belt）の形態であっても良い。図５を参照して、シャッター機構１００の第２の実施の形態が示されている。この実施の形態では、シャッター１０２は、スラットベルトの方法で一緒に接合されたスラット１０４から形成されたベルトの形状である。シャッター１０２は、第１の実施の形態のように、ユーザのカードがそれを通過することができる寸法のスロット１０６を含んでいる。シャッター１０２は、固いコア部材１０８の回りで移動するために、駆動手段（図示せず）により駆動される。コア部材１０８は、第１の実施の形態のように、挿入されたカードを移動するための駆動ローラ１１４、１１６が内部に位置している凹んだ領域１１０、１１２を有している。コア部材１０８は、端末１０内に挿入されたユーザカード（図示せず）を受容するための寸法のスロット１０９を有している。第２の実施の形態の動作は、第１の実施の形態の動作と略同じであり、シャッター１０２が図５に示したように開いた位置では、穴１０６がカードエントリのスロット（図５では図示せず）に整列し、また、閉じた位置では、穴１０６が直径的に対向する位置にあり、挿入されたカード（図５では図示せず）が供給経路に沿って読取り機／書き込み機装置（図５では図示せず）に供給経路に沿って駆動される。なお、図５のシャッター１０２は、同様に円筒形状であり、第１の実施の形態と同様に断面は必ずしも円形である必要はないが、実質的に平らな上部１２０と下部１２２を有するコア１０８の外面と整列している。
【００１９】
以上、シャッターを有するシャッター機構の実施の形態を説明した。このシャッターは、第１の位置では、カードの挿入あるいは取り出しができるが、ユーザのカード読取り機／書き込み機ユニットへのアクセスができない、また、第２の位置では、カードおよびカード読取り機／書き込み機へのユーザによるアクセスができない。よって、シャッター機構を備えたＡＴＭの外部からのカードへの直接のアクセスができる位置にシャッターを位置させることができない。また、シャッターが開いた位置では、シャッターが閉じた位置まで移動するまでは、ユーザはカードにアクセスでき、またカードを引き出すことができる。つまり、ユーザはシャッターが閉動作をするまではカードをコントロールできる。カードを詰まったために読み取ることができない場合、あるいはシャッター内の正しい位置にカードが戻らない場合、シャッターは開いた位置に戻らず、ユーザはカードを引き出すことができない。
【図面の簡単な説明】
【図１】  自動窓口機（ＡＴＭ）の斜視図である。
【図２】  図１に示したＡＴＭ内に挿入されたユーザカードの移動を制御するためのシャッター機構の第１の実施の形態の正面図である。
【図３】  挿入されたユーザカードが第１の位置にある、図２に示したシャッター機構の断面図である。
【図４】  挿入されたユーザカードが第２の位置にある、図２に示したシャッター機構の断面図である。
【図５】  ユーザカードの移動を制御するためのシャッター機構の第２の実施の形態の断面図である。
【符号の説明】
１０  ＡＴＭ
１６  キーボード
１８  キー
２４  スロット
４０シャッター機構
４２  シャッター
４４  コア
５２  モータ
７０  ユーザカード
【図１】
0003844550.tif 000002
【図２】
0003844550.tif 000003
【図３】
0003844550.tif 000004
【図４】
0003844550.tif 000005
【図５】
0003844550.tif 000006